(57)【特許請求の範囲】
【請求項１】
吸気口と排気口を連通して設けた空気流路を有する本体ケースと、
前記空気流路を通風する送風手段と、
前記空気流路に設けられた空気清浄手段と、
前記空気清浄手段の外周部に接するように並列した位置に設けられ、通過する空気中に含まれる汚染物質を捕集し、成分を分析するために着脱可能な捕集手段と、
を備える空気清浄装置であって、
前記空気清浄手段は、一部が前記空気流路から外れた位置にある空気清浄手段格納部内に収納した状態で配置されており、前記捕集手段を取り出した際に前記一部が前記空気流路内に現れ、前記捕集手段を配置していた空間が補填されることを特徴とする空気清浄装置。
【請求項２】
前記空気流路の上部に前記空気清浄手段格納部を有し、前記空気清浄手段を配置する収納空間を備え、
前記捕集手段は、前記収納空間内で前記空気清浄手段の下部に配置されていることを特徴とする請求項１に記載の空気清浄装置。
【請求項３】
前記捕集手段がアレルゲン、菌の非変性物質で構成されていることを特徴とする請求項１または２のいずれか一つに記載の空気清浄装置。
【請求項４】
前記捕集手段の圧力損失を前記空気清浄手段と同じ、もしくは低くしたことを特徴とする請求項１から３のいずれか一つに記載の空気清浄装置。
【請求項５】
前記捕集手段の捕集効率を前記空気清浄手段と同じ、もしくは高くしたことを特徴とする請求項１から４のいずれか一つに記載の空気清浄装置。
【請求項６】
前記捕集手段が、少なくとも３つの捕集部で構成され、
前記吸気口側に設けられ、粗大粒子状汚染物質を捕集する粗大粒子捕集部と、中間に設けられ、微粒子状汚染物質を捕集する微粒子捕集部と、前記排気口側に設けられ、ガス状汚染物質を捕集するガス捕集部と、を備えたことを特徴とする請求項１から５のいずれか
一つに記載の空気清浄装置。
【請求項７】
前記微粒子捕集部が少なくとも２層の繊維径の異なる繊維層が積層されて成り、且つ、繊維径のより細い層が前記排気口側に配置されていることを特徴とする請求項１から６のいずれか一つに記載の空気清浄装置。
【請求項８】
前記繊維層の少なくとも１層が極細繊維により形成されたものであることを特徴とする請求項７に記載の空気清浄装置。
【発明の詳細な説明】
【技術分野】
【０００１】
本発明は、大気中の汚染物質を分析するための捕集部材を備えた空気清浄装置に関する。
【背景技術】
【０００２】
近年、人体に悪影響を与える花粉、黄砂、ディーゼル排気粒子、ウイルス等の微小粒子、ＮＯｘやＳＯｘ等のガス状化学物質、ホルムアルデヒド等の揮発性化学物質等の汚染物質による空気質汚染が進んでおり、大きな社会問題となっている。この汚染物質の低減に対し効果的な措置を講じるには、汚染物質を定性、定量的に分析することが必要である。
【０００３】
汚染物質の分析方法として、汚染物質をフィルタ等に捕集し、捕集された汚染物質を分析する方法があり、この捕集装置として人体に影響するガス状または浮遊粒状の汚染物質を捕集する捕集部材と清浄処理を施す清浄部材と吸引手段とを備えた空気清浄装置がある（例えば、特許文献１参照）。
【先行技術文献】
【特許文献】
【０００４】
【特許文献１】特開２０１３−１６７４４０号公報
【発明の概要】
【発明が解決しようとする課題】
【０００５】
上記従来例における課題は、捕集部材に捕集された汚染物質を分析するときに、捕集部材を空気清浄装置から一時的に取り外すので、捕集部材を補填しない限り、装置を稼動している際は、汚染物質を捕集する部材は清浄部材のみとなり、清浄処理を施す面積が減少し、汚染物質に対する集塵性能が低下するという課題があった。
【０００６】
そこで、本発明は、捕集手段を取り外しても、集塵性能を低下させることなく、大風量で連続して使用できる空気清浄装置を提供することを目的とするものである。
【課題を解決するための手段】
【０００７】
そして、この目的を達成するために、本発明は、吸気口と排気口を連通して設けた空気流路を有する本体ケースと、前記空気流路を通風する送風手段と、前記空気流路に設けられた空気清浄手段と、前記空気清浄手段の外周部に接するように並列した位置に設けられ、通過する空気中に含まれる汚染物質を捕集し、成分を分析するために着脱可能な捕集手段と、を備える空気清浄装置であって、前記空気清浄手段は、一部が前記空気流路から外れた位置にある空気清浄手段格納部内に収納した状態で配置されており、前記捕集手段を取り出した際に前記一部が前記空気流路風路内に現れ、前記捕集手段を配置していた空間が補填されることを特徴とするものであり、これにより、所期の目的を達成するものである。
【発明の効果】
【０００８】
本発明は、吸気口と排気口を連通して設けた空気流路を有する本体ケースと、前記空気流路を通風する送風手段と、前記空気流路に設けられた空気清浄手段と、前記空気清浄手段の外周部に接するように並列した位置に設けられ、通過する空気中に含まれる汚染物質を捕集し、成分を分析するために着脱可能な捕集手段と、を備える空気清浄装置であって、前記空気清浄手段は、一部が前記空気流路から外れた位置にある空気清浄手段格納部内に収納した状態で配置されており、前記捕集手段を取り出した際に前記一部が前記空気流路風路内に現れ、前記捕集手段を配置していた空間が補填されることを特徴とするものであるので、分析のために捕集手段を取り外した後でも、集塵性能を低下させることなく、連続して空気清浄装置の使用が可能となるものである。
【０００９】
すなわち、本発明によれば、空気清浄手段の一部を空気流路外にはみ出した状態に配置したことにより、捕集手段を取り出した際に空気清浄手段が移動し、捕集手段が取り除かれた空気流路の空間を補填するため、清浄処理を施す部材の面積を維持でき、空気流路を通過する空気は余すことなく空気清浄手段を通過するようになる。これにより、集塵性能を維持した状態にて大風量での空気処理が可能となり、室内空気質を清浄な状態に保つことができる。
【図面の簡単な説明】
【００１０】
【図１】本発明の実施の形態１における空気清浄装置の本体構成を示す概略斜視図
【図２】同空気清浄装置の本体構成を示す概略断面図
【図３】同空気清浄装置の空気清浄手段と捕集手段を装着した状態を示す図
【図４】同空気清浄装置の空気清浄手段と捕集手段を装着前の状態を示す図
【図５Ａ】同捕集手段の取り外し前の状態を示す図
【図５Ｂ】同捕集手段の取り外し直後の状態を示す図
【図５Ｃ】同捕集手段取り外し後空気清浄手段が移動した状態を示す図
【図６】同捕集手段の斜視図
【図７】同捕集手段の斜視図
【発明を実施するための形態】
【００１１】
本発明の請求項１に係わる空気清浄装置は、吸気口と排気口を連通して設けた空気流路を有する本体ケースと、前記空気流路を通風する送風手段と、前記空気流路に設けられた空気清浄手段と、前記空気清浄手段の外周部に接するように並列した位置に設けられ、通過する空気中に含まれる汚染物質を捕集し、成分を分析するために着脱可能な捕集手段と、を備える空気清浄装置であって、前記空気清浄手段は、一部が前記空気流路から外れた位置にある空気清浄手段格納部内に収納した状態で配置されており、前記捕集手段を取り出した際に前記一部が前記空気流路風路内に現れ、前記捕集手段を配置していた空間が補填されることを特徴とする。
【００１２】
これにより、汚染物質を分析するために捕集手段を取り出した後においても、汚染物質に対する集塵性能を維持できるため、連続して空気清浄装置が使用できるという効果を奏する。その結果として、大風量での空気処理が可能となり、清浄な室内空気質の維持が期待できる。
【００１３】
また、請求項２に係わる空気清浄装置は、前記空気流路の上部に前記空気清浄手段格納部を有し、前記空気清浄手段を配置する収納空間を備え、前記捕集手段は、前記収納空間内で前記空気清浄手段の下部に配置されているものである。
【００１４】
これにより、捕集手段が取り外されると、開口部に空気清浄手段が自重で移動し、空気流路全面に渡って空気清浄手段が汚染物質を捕集するという効果を奏する。その結果として、新しい捕集手段を用意せずとも、集塵性能を維持した状態で、大風量の空気処理が期待できる。
【００１５】
また、請求項３に係わる空気清浄装置は、捕集手段がアレルゲン、菌の非変性物質で構成されている。
【００１６】
これにより、捕集されたアレルゲン、菌は変性することなく、捕集手段で保持される。その結果として、従来の分析方法で適切な評価ができ、さらに、分析を阻害する物質を含まないため、室内空気汚染物質の正確な定性・定量分析が期待できる。
【００１７】
また、請求項４に係わる空気清浄装置は、捕集手段の圧力損失を空気清浄手段と同じもしくは低くしたものであり、微細な汚染物質が捕集できるという効果を奏する。その結果として、詳細な空気環境分析が期待される。
【００１８】
また、請求項５に係わる空気清浄装置は、捕集手段の捕集効率を空気清浄手段と同じもしくは高くしたものである。
【００１９】
これにより、微細な汚染物質が捕集できるという効果を奏する。その結果として、詳細な空気環境分析が期待される。
【００２０】
また、請求項６に係わる空気清浄装置は、捕集手段が、少なくとも３つの捕集部で構成され、吸気口側に粗大粒子状汚染物質を捕集する粗大粒子捕集部、中間に微粒子状汚染物質を捕集する微粒子捕集部、排気口側にガス状汚染物質を捕集するガス捕集部を備えたものである。
【００２１】
これにより、分級効果を得ることが出来るので、各捕集部で選択的に汚染物質を捕集できるという効果を奏する。その結果として、捕集された汚染物質の分析が容易になるので、室内空気汚染物質の正確な定性・定量分析が期待できる。
【００２２】
また、請求項７に係わる空気清浄装置は、微粒子捕集部が少なくとも２層の繊維径の異なる繊維層が積層されて成り、且つ、繊維径のより細い層が排気口側に配置されているものである。
【００２３】
これにより、微粒子のサイズによって分級効果を得ることができるので、各繊維層で選択的に捕集できるという効果を奏する。その結果として、捕集された汚染物質の分析が容易になり、室内空気汚染物質の正確な定性・定量分析が期待できる。
【００２４】
また、請求項８に係わる空気清浄装置は、前記繊維層の少なくとも１層が極細繊維により形成されたものである。
【００２５】
これにより、より微細な粒子を捕集することが可能であり、室内空気汚染物質のより詳細な分析が可能となる。
【００２６】
以下、本発明における実施の形態について図面を参照しながら説明する。実施の形態として捕集手段を空気清浄装置に備えたものを例として示すが、本例に限定されるものではない。
（実施の形態１）
図１に示すように、本実施の形態の空気清浄装置は、略縦長箱形状の本体ケース１内に送風手段２と空気清浄手段３と捕集手段４とを備えている。
【００２７】
本体ケース１は、前方に前面化粧板５を備え、前面化粧板５と本体ケース１との間に隙間を設けて吸気口６としている。本体ケース１の天面部には、略四角形状の排気口７を備えている。排気口７には、風向ルーバー８を設けている。図２に示すように、本体ケース１の内部には、吸気口６から排気口７に至る空気流路９を形成し、空気流路９には空気清浄手段３と、捕集手段４と、これら空気清浄手段３と捕集手段４を収納する収納空間１０と、送風手段２を設けている。
【００２８】
送風手段２は、遠心送風ファンである羽根１１と、この羽根１１を回転させる電動機１２とから構成され、収納空間１０の背面側に配置している。なお、送風手段２として、例えば、シロッコファンやターボファン、プロペラファンやクロスフローファンが直流または交流電流によって駆動する電動機１２によって回転駆動する送風機が上げられる。シロッコファンであれば低回転数でも高い静圧がとれ、ターボファンであれば他よりファン効率がよく、プロペラファンであれば低回転数でも大きい風量がとれ、クロスフローファンであれば吹出気流が幅広にできるので、必要に応じて最適な送風機を選択すればよい。
【００２９】
収納空間１０は、本体ケース１の内部にあって、前面化粧板５に対向する位置に設けた内部パネル１３に設けている。内部パネル１３は、開口１４を囲むフランジ１５を有する前面１６と、開口１４に対向した位置に整流格子１８を配置して通気性を備えた背面１９とを有した扁平の箱体であり、本体ケース１の内部を前面側と背面側とに、整流格子１８を介して仕切っている。さらに、内部パネル１３は、前記扁平の箱体の一側面である天面部２０を開口１４よりも外側へ拡張して備え、空気流路９から外れた位置に空気清浄手段格納部２１を有している。このようにして、前記扁平の箱体の内側である収納空間１０は、空気清浄手段格納部２１によって、内部は開口１４に比べて天面部２０側、すなわち上方へ拡げた空間となっている。
【００３０】
空気清浄手段３は、収納空間１０に配置している。すなわち、空気清浄手段３は、内部パネル１３のフランジ１５に設けたストッパー２２によって収納空間１０内で保持され、空気清浄手段３の上部は空気清浄手段格納部２１内に収納した状態で配置される。前面化粧板５側からプレフィルタ２３、集塵フィルタ２４、脱臭フィルタ２５の順に配置されている。開口１４に対向した位置に整流格子１８を配置しているので、空気清浄手段３の上部は空気が流れない状態とすることが可能となる。
【００３１】
つまり、送風手段２によって、吸気口６から本体ケース１内に吸気された室内の空気は、空気清浄手段３、送風手段２を介して排気口７へと送風される構成となっており、室内の汚染空気を空気清浄手段３で清浄して、室内へ送風されるものである。なお、空気清浄手段３としては、例えば、樹脂繊維を格子状に編んで形成される略平板形状のプレフィルタ２３と、濾材を蛇腹状に折り曲げて形成される略直方体形状の集塵フィルタ２４と、活性炭等の吸着剤を樹脂性の網に添着させた脱臭フィルタ２５によって構成するものがあげられる。このような構成とすると、本体ケース１内に取り込まれた空気から塵埃を除去するとともに、花粉・細菌等の小さな粒子とタバコ臭等のにおいを除去し、空気を清浄化することができる。
【００３２】
捕集手段４は、収納空間１０内の下方で空気清浄手段３の外周部に接するように並列した位置に設けられている。すなわち、空気清浄手段３の下部に接するように配置している。吸気口６から本体ケース１内に吸気された室内の空気は、捕集手段４、送風手段２を介して排気口７へと送風される構成にもなっている。吸気口６から吸込んだ空気は、捕集手段４で室内汚染物質が捕集され、室内へ送風されるものである。
【００３３】
空気清浄手段３と捕集手段４を並設した構成について、図３、図４及び図５Ａから図５Ｃを参照して説明する。
【００３４】
図３に示すように、捕集手段４は、空気清浄手段３と正面側から開封テープ２６を貼り付けて一体化されている。一方、捕集手段４は、本体ケース１に着脱自在に設けられており、捕集した汚染物質を分析する際には、開封テープ２６を開封し、本体ケース１から捕集手段４を取り外し、捕集された汚染物質を定性、定量分析を行なうことができるものである。
【００３５】
このような構成にすることにより、空気清浄手段３と捕集手段４の合わせ目の隙間を塞ぐごとができるので、空気清浄装置の運転時には、本体ケース１内に取込まれた汚染物質を余すことなく、空気清浄手段３と捕集手段４で捕集し、清浄化された空気のみを室内へ送風できる。また、本体ケース１に空気清浄手段３と捕集手段４を同時に設置できるので、設置する際の手間を減らすことができる。
【００３６】
図３、図４に示すように、内部パネル１３のフランジ１５には、本体ケース１の前面側から空気清浄手段３を保持する前述のストッパー２２と、捕集手段４を取出すための取出凹部２７を設けている。
【００３７】
まず、ストッパー２２はフランジ１５に設けた支点を軸に９０°回転できる構成となっている。空気清浄手段３と捕集手段４を収納空間１０に設置する場合には、図４のように、開口１４から外れるようにストッパー２２を回転させ、空気清浄手段３を保持する場合には、図３に示すように、ストッパー２２が開口１４内へ張り出すようにストッパー２２を回転させて、空気清浄手段３前面に接触させることができる。このような構成にすることにより、図５Ａに示すように、収納空間１０から分析のために捕集手段４を取り外す際に、空気清浄手段３に対する捕集手段４の摩擦による前面化粧板５側への力が作用しても、本体ケース１から脱離させずに保持することができる。
【００３８】
また、ストッパー２２の空気清浄手段３との接触部２８を凸状の曲面として断面を円弧状にした曲面にしてもよい。これにより、ストッパー２２と空気清浄手段３との接触面積が小さくなるため、ストッパー２２と空気清浄手段３との摩擦が小さくなり、空気流路９から分析のために捕集手段４を取り外した後、空気清浄手段３が自重による下方への移動を容易にすることができる。すなわち、空気清浄手段３が下方へ移動することで、捕集手段４を配置していた部分にも空気清浄手段３が配置され、開口１４の上部には空気清浄手段格納部２１内に位置していた部分が出現することとなり、開口部全面に渡って空気清浄手段３が存在することとなる。その結果、新しく捕集手段４を準備することは無く、空気清浄装置の集塵性能を維持できる。
【００３９】
つまり、空気清浄手段３の空気清浄手段格納部２１に位置する部分が下方に移動して整流格子１８を遮ることで、図５Ｂに示すように、空気流路９から捕集手段４を取り外して空間が生じても、図５Ｃに示すように、空気清浄手段３が下方に移動し、捕集手段４が取り外された箇所の空間を塞ぐことができる。
【００４０】
すなわち、空気清浄装置の清浄処理を施す部材の面積を維持できるため、集塵性能を維持したまま大風量での空気処理が可能となり、室内空気質を清浄な状態に保つことができる。
【００４１】
次に、取出凹部２７は、空気清浄手段３と開封テープ２６と捕集手段４に渡る箇所に設けられており、空気清浄手段３側に比べて捕集手段４側に広く設けられている。具体的には、図３に示すように、開封テープ２６から空気清浄手段３側の寸法ａにくらべて、開封テープ２６から捕集手段４側の寸法ｂを大きくしている。これにより、開封テープ２６の剥離を行い易くするとともに、捕集手段４を掴み易くすることができるので、捕集手段４の取り出し易くすることができる。
【００４２】
図５Ａから図５Ｃに示すように、空気清浄手段格納部２１前面側のフランジ１５は、開口１４内に向けて空気清浄手段格納部２１内側を肉薄形状とすることで、本体ケース１正面側に勾配２９が設けることができる。これにより、本体ケース１と空気清浄手段３との接触面積が減少する、つまり本体ケース１との摩擦が減少するので、捕集手段４を取外した際に滑らかに下方に移動することができる。空気清浄手段格納部２１の勾配２９の形状はこれに限らず、曲面で形成してもよく、場合に応じて最適な形状を選択すればよい。
【００４３】
また、空気清浄手段格納部２１の天面部２０は空気清浄手段３と捕集手段４を配置したときに僅かな空隙を確保して設けられていてもよい。これにより、空気清浄手段３と捕集手段４を収納空間１０に取り付ける際に、上部の空隙に空気清浄手段３を一時的に逃がすことができるので、捕集手段４とともに持ち上げて下部を収納空間１０へ収めることができる。すなわち、上部の空隙を利用して、空気清浄手段３と捕集手段４を開封テープ２６で連結した状態で容易に取り付けることができる。
【００４４】
捕集手段４の構成について、図６及び図７を参照しながら説明する。
【００４５】
図６、図７に示すように、捕集手段４は空気が流入する吸気口６側に粗大粒子捕集部３０、中間に微粒子捕集部３１、排気口７側にガス捕集部３２とで構成されており、その外周には枠形状の形状保持部３３が設けられている。
【００４６】
このような構成にすることにより、粗大粒子を上流の粗大粒子捕集部３０で、微粒子を中間の微粒子捕集部３１で、ガスを下流のガス捕集部３２でと、汚染物質を選択的に捕集できる。その結果として、分析時における汚染物質の抽出が容易になるので、室内空気汚染物質の正確な定性・定量分析ができる。
【００４７】
また、微粒子捕集部３１は少なくとも２層の繊維径の異なる不織布状の繊維層３４を積層し、且つ、繊維径のより細い層が排気口側に配置した状態にしてもよい。繊維が重なってできる不織布の空隙のサイズは、繊維径によって変化するため、繊維径の異なる繊維層を積層し、且つ、繊維径のより細い層を下流側にすることで、微粒子においても分級効果を得ることができる。これにより微粒子を分析する際、菌やカビなど、種類によってある程度サイズが決まっているものを篩いにかけることで、分析を効率良く行なうことができる。不織布状の繊維層を形成する方式としては、湿式方式、乾式方式、スパンボンド方式やメルトブローン方式、静電紡糸法などの紡糸方式が挙げられるが、これに限らず既知の手法を用いることができる。
【００４８】
また、前記繊維層３４の少なくとも１層が極細繊維により形成されたものであってもよい。これにより、より微細な粒子を捕集することが可能であり、室内空気汚染物質のより詳細な分析が可能となる。極細繊維とは、繊維径が数１０ｎｍから１μｍの繊維を示す。なお、極細繊維の製造方法としては、メルトブローン法、静電紡糸法等が挙げられるが、これに限らず既知の手法を用いることができる。
【００４９】
粗大粒子捕集部３０と微粒子捕集部３１とガス捕集部３２の形状と構成は図６に示すように、それぞれが独立していてもよく、また図７に示すように、３つの捕集部が積層されていてもよい。
【００５０】
独立している場合は、各捕集部（粗大粒子捕集部３０と微粒子捕集部３１とガス捕集部３２の形状）を分離しやすいので、分析時の取扱い性を向上できる。積層されている場合は、各捕集部の利用面積を大きくできるので、単位面積当りの風速を低減でき、その結果、捕集手段４を低圧力損失かつ高捕集効率にできる。これにより、短期間で微細な汚染物質まで捕集できるようになるので、詳細な空気環境を短期間で分析できる。
【００５１】
また、１つの独立した捕集部と２つの捕集部の積層という構成にしてもよく、用途に応じて粗大粒子捕集部３０と微粒子捕集部３１とガス捕集部３２の形状と構成は選択すればよい。
【００５２】
また、捕集手段４の圧力損失を空気清浄手段３と同じもしくは低くしたものであり、より好ましくは低くしたものである。捕集手段４の圧力損失を低くする方法として、例えば、空気清浄手段３と捕集手段４がともに不織布で構成されている場合は、捕集手段４の不織布を構成している繊維の繊維径を空気清浄手段３に対して細くする方法がある。繊維径を細くすることで、空気流の乱れによる抵抗を減少できるので、同等の捕集効率でも圧力損失を低くできる。この例に限らず、捕集手段４の圧力損失を低くする方法は、捕集手段４を構成する材料に応じて、適宜選択すればよい。
【００５３】
このように、捕集手段４の圧力損失が空気清浄手段３よりも低いと、捕集手段４を通過する風量が大きくなるため、短期間で室内空間全体の汚染物質を捕集できる。その結果として、早期の空気環境分析が期待できる。
【００５４】
また、捕集手段４の捕集効率を空気清浄手段３と同じもしくは高くしたものであり、より好ましくは高くしたものである。捕集手段４の捕集効率を高くする方法として、例えば、空気清浄手段３と捕集手段４がともに不織布で構成されている場合は、捕集手段４の不織布にエレクトレット処理を施す方法がある。エレクトレット処理を施すことで、不織布の繊維が帯電するため、物理的捕集に加え、静電気力でも汚染物資を捕集するようになるので、同等の圧力損失でも捕集効率を高くできる。この例に限らず、捕集手段４の捕集効率を高くする方法は、捕集手段４を構成する材料に応じて、適宜選択すればよい。
【００５５】
このように、捕集手段４の捕集効率が空気清浄手段３よりも高いと、微細な汚染物質が捕集できる。その結果として、詳細な空気環境分析が期待できる。
【００５６】
捕集手段４を構成する材質は、アレルゲン、菌等の非変性物質であれば、特に限定されない。具体例として、粗大粒子捕集部３０と微粒子捕集部３１にはポリアクリロニトリル、ポリエチレン、ポリプロピレン、ポリエチレングリコール、ポリエチレンテレフタレート、ポリエチレンナフタレート、ポリオレフィン、ポリメタクリル酸、ポリメタクリル酸メチル、ポリフッ化ビニリデン、ポリエーテルサルホン、ポリ塩化ビニル、ポリテトラフルオロエチレン、ポリビニルアルコール、ポリアリレート、ポリアセタール、ポリカーボネート、ポリスチレン、ポリアミド、ポリイミド、ポリアミドイミド、アラミド、ポリ乳酸、ポリウレタン、セルロース化合物等の樹脂材料やガラスなどの無機物質が挙げられ、ガス捕集部３２には活性炭やゼオライト等が挙げられる。
【００５７】
このように、捕集手段４がアレルゲン、菌の非変性物質で構成されていると、捕集されたアレルゲン、菌は変性することなく、捕集手段４で保持される。その結果として、従来の分析方法で適切な評価ができ、さらに、分析を阻害する物質を含まないため、室内空気汚染物質の正確な定性・定量分析が期待できる。
【００５８】
また、捕集した汚染物質の分析方法としては液体クロマトグラフ分析法、ガスクロマトグラフ分析法、質量分析法、ＥＬＩＳＡ法、標準寒天培地法、走査型電子顕微鏡法等が挙げられ、粒子、アレルゲン、菌、ガス等に対して適した手法を選択することで、捕集した室内汚染物質を定性、定量的に分析することができる。
【００５９】
以上の捕集手段４の構成は、１つの装置においてすべてを揃えることができるが、一つまたは複数を選択的に組み合わせて使用することもできる。
【産業上の利用可能性】
【００６０】
本発明の空気清浄装置は、分析のために捕集手段を取外しても、集塵性能を低下させることなく、大風量での空気処理を可能にし、清浄な室内空気質を維持できるため、家庭用または業務用の空気清浄装置における汚染物質の捕集・分析装置として有用である。
【符号の説明】
【００６１】
１    本体ケース
２    送風手段
３    空気清浄手段
４    捕集手段
５    前面化粧板
６    吸気口
７    排気口
８    風向ルーバー
９    空気流路
１０    収納空間
１１    羽根
１２    電動機
１３    内部パネル
１４    開口
１５    フランジ
１６    前面
１８    整流格子
１９    背面
２０    天面部
２１    空気清浄手段格納部
２２    ストッパー
２３    プレフィルタ
２４    集塵フィルタ
２５    脱臭フィルタ
２６    開封テープ
２７    取出凹部
２８    接触部
２９    勾配
３０    粗大粒子捕集部
３１    微粒子捕集部
３２    ガス捕集部
３３    形状保持部
３４    繊維層
【図１】
0006754936.tif 000002
【図２】
0006754936.tif 000003
【図３】
0006754936.tif 000004
【図４】
0006754936.tif 000005
【図５Ａ】
0006754936.tif 000006
【図５Ｂ】
0006754936.tif 000007
【図５Ｃ】
0006754936.tif 000008
【図６】
0006754936.tif 000009
【図７】
0006754936.tif 000010